Podtech/llm-jp-corpus-v4-ja_patent huggingface dataset:
【手続補正書】
【提出日】平成15年3月19日(2003.3.19)
【手続補正１】
【補正対象書類名】明細書
【補正対象項目名】特許請求の範囲
【補正方法】変更
【補正の内容】
【特許請求の範囲】
【請求項１】
構成部材を脊椎に対して固定するために用いる用具一式であって、
装具を脊椎に固定する手段、
基部を有する装具であって、装具を脊椎に固定する手段用の係合位置と構成部材を装具に対して保持する保持位置とを備え、保持位置が装具を貫通する溝によって与えられ、係合位置が装具を貫通する溝によって与えられている装具、
構成部材を装具の保持位置に保持する手段、および
構成部材を備え、
係合位置が少なくとも保持位置と基部との間の部分に存在していることを特徴とする用具一式。
【請求項２】
構成部材を脊椎に対して保持するために用いる装具であって、基部を有しているとともに、装具を脊椎に固定する手段用の係合位置と構成部材を装具に対して保持する保持位置とを有し、保持位置が装具を貫通する溝によって与えられ、係合位置が装具を貫通する溝によって与えられていて、係合位置が少なくとも保持位置と基部との間の部分に存在していることを特徴とする装具。
【請求項３】
基部分が、使用中に脊椎に接触する面を有している請求項１〜請求項２の何れかに従う装具または装具を備えている用具一式。
【請求項４】
装具が、基部から延在する２つの部分を有し、構成部材保持位置が、基部から延在する部分の間に与えられている請求項１〜請求項３の何れかに従う装具または装具を備えている用具一式。
【請求項５】
構成部材保持位置が、装具の延在部分と基部によって画定された面によって画定されている請求項４に従う装具または装具を備えている用具一式。
【請求項６】
保持位置の溝が、装具の基部から遠い方向で開放している請求項１〜請求項５の何れかに従う装具または装具を備えている用具一式。
【請求項７】
溝の底が、保持する構成部材に対応する形状／横断面を有している請求項６に従う装具または装具を備えている用具一式。
【請求項８】
装具が、構成部材を保持位置で保持する手段と協働する１つまたはそれ以上の部分を備えている請求項１〜請求項７の何れかに従う装具または装具を備えている用具一式。
【請求項９】
構成部材を装具の保持位置に保持する手段が、装具に導入されたときに溝の開放頂部を閉じるようになっている請求項８に従う装具または装具を備えている用具一式。
【請求項１０】
係合位置が、基部から延在する部分の一方または双方を貫通して装具の端から端に延びる溝によって与えられている請求項１〜請求項９の何れかに従う装具または装具を備えている用具一式。
【請求項１１】
溝が、基部から延在する部分の上部で閉じた閉溝となっている請求項１０に従う装具または装具を備えている用具一式。
【請求項１２】
溝が、基部から延在する部分のうちの第１の部分の開口と、基部から延在する部分のうちの第２の部分の開口から成っている請求項１０または請求項１１に従う装具または装具を備えている用具一式。
【請求項１３】
開口が、装具の基部の溝によって接続されている請求項１２に従う装具または装具を備えている用具一式。
【請求項１４】
溝が、半円形の横断面となっているか、横断面で半円形よりも小さくなっている請求項１３に従う装具または装具を備えている用具一式。
【請求項１５】
溝が、装具を脊椎に固定する手段の形状に対応するように設計された横断面を有している請求項１３または請求項１４に従う装具または装具を備えている用具一式。
【請求項１６】
装具の基部から延在する部分の一方または双方を貫通する開口が、基部に向かって内側に次第に細くなる横断面を有している請求項１０〜請求項１５の何れかに従う装具または装具を備えている用具一式。
【請求項１７】
装具を脊椎に固定する手段が、１本またはそれ以上の針金のような細長い部材となっている請求項１〜請求項１６の何れかに従う装具または装具を備えている用具一式。
【請求項１８】
細長い部材が脊椎の一部に結ばれ、および／または脊椎の一部に巻き付けられるようになっている請求項１〜請求項１７の何れかに従う装具または装具を備えている用具一式。
【請求項１９】
構成部材が、脊椎用の支持部材および／または脊椎用の安定化部材および／または脊椎用の矯正部材となっている請求項１〜請求項１８の何れかに従う装具または装具を備えている用具一式。
【請求項２０】
構成部材を脊椎に対して固定する方法であって、
構成部材を固定しようとする脊椎上の位置に近づくこと、
装具をその位置の近くに用意して装具をその位置に固定手段を用いて固定すること、
構成部材を装具の近くに導入してその構成部材を装具に対して保持することを包含している方法。
【請求項２１】
その後に構成部材を装具から解放し、装具に対する構成部材の位置および／または張りを調整または変化させ、その後に再び保持する請求項２０に従う方法。
【請求項２２】
脊椎の少なくとも一部を処置する方法であって、
第３の態様の方法に従う２つまたはそれ以上の装具、および／または第３の態様に従う１つまたはそれ以上の装具、および全く別の形の少なくとも１つの装具を用意し、更に装具に導入して装具によって保持する構成部材を用意して、１つの装具内の構成部材の位置および／または２つの装具間の構成部材の張りが、構成部材を装具に対して保持する第１の場合と構成部材を装具に対して保持する第２の場合とで異なる方法。
【請求項２３】
構成部材を患者内に閉じ込める際に構成部材を位置決めし、および／または構成部材を緊張させる請求項２２に従う方法。
【手続補正書】
【提出日】平成14年11月22日(2002.11.22)
【手続補正１】
【補正対象書類名】明細書
【補正対象項目名】００２２
【補正方法】変更
【補正の内容】
【００２２】
図１は、患者Ｐの肺Ｌの肺処置（ｐｕｌｍｏｎａｒｙ ｐｒｏｃｅｄｕｒｅ）を行うための、本発明の１つの実施態様により構成されたシステム１０を示す概略図である。適当なシステム、方法、または本明細書で特に記載したものの外側のデバイスは本発明の実施に使用され得ることに最初に注意すべきである。そのため、当該システム１０は、単なる例示であり、１４で図示されるステアリング機構を有する気管支鏡１２、シャフト１６および気管支鏡の１以上のウォーキングチャンネルへのアクセスを提供するポート１８を含む。


【手続補正２】
【補正対象書類名】明細書
【補正対象項目名】００２４
【補正方法】変更
【補正の内容】
【００２４】
図２は、導入器１２およびデリバリーデバイス２０を取除いた後の図１を示す患者の肺Ｌの拡大図であり、この場合、フローコントロールエレメント２２は細気管支２８中に放置される。図３により詳細に示すフローコントロールエレメント２２は、リング３４により支えられているバルブメンバー３２を伴うバルブ形である。図２は、肺の下葉ＬＬをフィードする細気管支２８Ａ中に位置する第二のフローコントロールエレメント２２Ａをまた示していることに注意すべきである。当該フローコントロールエレメント２２Ａは、バルブメンバー３２Ａおよび支持リング３４Ａを含み、下葉ＬＬの過拡張組織中への流体の吸入を減少または妨げる。任意の数のフローコントロールエレメントが所定の手順で使用され得ると理解される。


【手続補正３】
【補正対象書類名】明細書
【補正対象項目名】００４２
【補正方法】変更
【補正の内容】
【００４２】
図１２−１６について言及すると、他のフローコントロールエレメント２２を示している。当該フローコントロールエレメント２２は、吸入方向の空気をブロックするブロッキングエレメント１２２としての役割をする。当該ブロッキングエレメント１２２はまた、呼息方向への流れを可能にするが、吸息の方向への流れは阻止するバルブ１２４を有し得る。当該バルブ１２４は、本明細書で記載した任意のバルブのような任意の適当なバルブであり得る。例えば、図１３および１６は、閉じ位置で互いに引き合う第一リップ１２６および第二リップ１２８を有するバルブ１２４を示す。本明細書で使用するときのバルブなる用語はまた、一方向には流れ得るが他の方向には流れが妨げられるチェックバルブを言い得る。本明細書に記載のバルブは種々態様の本発明で使用されるが、本発明の他の態様は、両方向の流れをブロックすることにより実施され得る。例えば、当該デバイスおよび肺の隔離部分へアクセスするための方法は、両方向への空気の流れをブロックするデバイスと共に使用し得る。最終的に、呼息方向の流れは、単にバルブを使用するよりもむしろ、本明細書に記載のような他の手法で制御され得る。
【手続補正書】
【提出日】平成15年6月6日(2003.6.6)
【手続補正１】
【補正対象書類名】明細書
【補正対象項目名】特許請求の範囲
【補正方法】変更
【補正の内容】
【特許請求の範囲】
【請求項１】
STAT転写因子の発現を刺激する方法であって、前記発現が可能な細胞を、前記細胞に対して前記発現を刺激するのに十分な量のIL-TIF/IL-21と接触させることを含む方法。
【請求項２】
前記STAT転写因子がSTAT3 またはSTAT1 である請求項１の方法。
【請求項３】
前記STAT転写因子がSTAT3 である請求項２の方法。
【請求項４】
前記IL-TIF/IL-21が哺乳類IL-TIF/IL-21である請求項１の方法。
【請求項５】
前記哺乳類IL-TIF/IL-21がヒトIL-TIF/IL21 である請求項４の方法。
【請求項６】
前記ヒトIL-TIF/IL-21が配列番号25または配列番号26によってコードされる請求項５の方法。
【請求項７】
細胞における急性期タンパク質の産生を誘導する方法であって、前記細胞を、前記急性期タンパク質の産生を誘導するのに十分な量のIL-TIF/IL-21と接触させることを含む方法。
【請求項８】
前記細胞が肝細胞である請求項７の方法。
【請求項９】
前記急性期タンパク質がヒト血清アミロイドA 、α1-アンチキモトリプシン、またはハプトグロビンである請求項７の方法。
【請求項１０】
前記IL-TIF/IL-21が哺乳類IL-TIF/IL-21である請求項７の方法。
【請求項１１】
前記哺乳類IL-TIF/IL-21がヒトIL-TIF/IL-21である請求項１０の方法。
【請求項１２】
前記ヒトIL-TIF/IL-21が配列番号25または配列番号26によってコードされる請求項１１の方法。
【請求項１３】
IL-TIF/IL-21分子の活性を調節する方法であって、IL-TIF/IL-21活性に対して感受性を持つ細胞を、IL-TIF/IL-21活性を調節するのに十分な量のIL-TIF/IL-21調節物質と接触させることを含む方法。
【請求項１４】
前記調節物質がIL-10Rβ分子に結合する物質である請求項１３の方法。
【請求項１５】
前記調節物質がIL-10Rβ分子に特異的に結合する抗体である請求項１４の方法。
【請求項１６】
前記調節物質がIL-10R分子のアンタゴニストである請求項１４の方法。
【請求項１７】
前記IL-10R分子がIL-10R分子のアゴニストである請求項１６の方法。
【請求項１８】
前記分子がIL-10R分子のアゴニストである請求項１４の方法。
【請求項１９】
前記IL-10R分子がIL-10Rβである請求項１８の方法。
【請求項２０】
炎症物質へのばく露を決定する方法であって、その炎症物質にばく露したと考えられる対象から採取した試料を、IL-TIF/IL-21の発現についてアッセイすることを含み、TIF の発現が炎症物質へのばく露の指標となる方法。
【請求項２１】
IL-TIF/IL-21の調節物質を同定する方法であって、IL-TIF/IL-21の調節物質であると考えられる物質を、IL-TIF/IL-21の供給源と、急性期タンパク質を発現させる細胞とに接触させ、前記細胞によって産生される急性期タンパク質を決定することを含み、前記物質の不在下での前記細胞による産生と比較した前記急性期タンパク質の産生の変化が、前記物質がIL-TIF/IL-21調節物質であることの指標となる方法。
【手続補正２】
【補正対象書類名】明細書
【補正対象項目名】００８７
【補正方法】変更
【補正の内容】
【００８７】
その結果、TIF はSAA およびα1-アンチキモトリプシンを強く誘導し、これらよりは弱いがハプトグロビンも誘導することがわかった。TIF がSAA を直接アップレギュレートするかどうか、またはタンパク質合成が必要かどうかを決定するために、HEPG2 細胞をシクロヘキシミドの存在下で上述のように刺激した。SAA 発現は影響を受けず、TIF 活性にはタンパク質合成が必要でないことが示された。
【手続補正書】
【提出日】平成15年1月29日(2003.1.29)
【手続補正１】
【補正対象書類名】明細書
【補正対象項目名】特許請求の範囲
【補正方法】変更
【補正の内容】
【特許請求の範囲】
【請求項１】
カロテノイドの製造方法において、
（１）液内培養においてムコラーレス（Ｍｕｃｏｒａｌｅｓ）のバイオマスを発酵させる段階と、
（２）前記バイオマスを分離する段階と、
（３）アルコールを用いる抽出によって、カロテノイド以外の親油性物質を除去する事により前記バイオマスを精製する段階と、
（４）前記バイオマスを乾燥し、そして破砕する段階と、
（５）有機溶剤を用いて、前記バイオマスに含まれるカロテノイドを固体／液体抽出する段階と、
（６）カロチノイドの豊富な抽出物を濃縮する段階と、
（７）アルコールを添加することによりカロチノイドを沈降−結晶化する段階と、
（８）ろ過し、最終乾燥する段階と、
を含み、
前記段階（１）において培地にレシチンを添加し、且つ発酵の開始後にｐＨの調整を行い、このｐＨの調整が、
（ａ）ｐＨを６．６−７．２の範囲の調整し、且つ
（ｂ）ｐＨの調整を、発酵の２４〜３６時間後に行なう、
ことを特徴とする方法。
【請求項２】
前記液内培養が、好気性条件下で実施され、前記ムコラーレスがブラケスラ（Ｂｌａｋｅｓｌｅａ）属、特にブラケスラ・トリスポラ（Ｂ．ｔｒｉｓｐｏｒａ）に属し、得られるカロテノイドがβ−カロテンであることを特徴とする、請求項１に記載の方法。
【請求項３】
大豆レシチンが０．１−１０％、望ましくは０．５−５％、より望ましくは０．５−１．５％の割合で添加されることを特徴とする、請求項１または２に記載の方法。
【請求項４】
（＋）及び（または）（−）株、またはブラケスラ・トリスポラ（Ｂ． ｔｒｉｓｐｏｒａ）から選択される突然変異株が培養されることを特徴とする、請求項２に記載の方法。
【請求項５】
発酵中の温度が２０−３２℃の間である、請求項１〜４のいずれか１項に記載の方法。
【請求項６】
カロテン以外の親油性物質を取り除くための前記バイオマス精製の段階（３）が、カロテノイド溶解度の低いアルコール、好ましくはメタノール、エタノール、プロパノール又はイソプロパノ−ル中にバイオマスを懸濁することから成ることを特徴とする、請求項１〜５のいずれか１項に記載の方法。
【請求項７】
前記バイオマスの精製の段階（３）が、段階（１）の直後に前記培地自体の中で実施されるか、あるいは段階（２）の後で、前記培地から分離した後実施されることを特徴とする、請求項１に記載の方法。
【請求項８】
添加されるアルコールの量が湿菌糸当り１ｍｌ／ｇから１０ｍｌ／ｇまでの範囲にあり、懸濁中の温度が周囲温度と添加されるアルコールの沸点の間であり、接触時間が５時間から２４時間までであることを特徴とする、請求項１、６及び７のいずれか１項に記載の方法。
【請求項９】
前記バイオマス精製が、培養液に対して直接行なわれ、培養液：アルコール比率が１：０．５〜１：５の間にあることを特徴する、請求項７に記載の方法。
【請求項１０】
前記バイオマス乾燥−粉状化段階（４）が、酸素なしで、周囲温度及び１５０℃の間の温度で、１時間から７２時間までの時間、バッチ式に又は連続式に実施することができることを特徴とする、請求項１〜９のいずれか１項に記載の方法。
【請求項１１】
前記バイオマス破砕が、３ｍｍ未満の粒度に達するまで常法によって行なわれることを特徴とする、請求項１０に記載の方法。
【請求項１２】
前記バイオマス精製に使用される前記アルコールが、メタノール、エタノール、プロパノールまたはイソプロパノールまたはこれらの混合物の中から選択されることを特徴とする、請求項１〜１１のいずれか１項に記載の方法。
【請求項１３】
前記抽出段階（５）が、１回から３回までの間で反復され、周囲温度と溶剤の沸点との間の温度で、１秒から１時間までの間の時間、５ｍｌ／ｇから２０ｍｌ／ｇまでの間の量で、低毒性の有機溶剤を使って乾燥され破砕されたバイオマスを洗浄することから成り、カロテノイド含有量が８５％を超え、望ましくは９０％を超え、より望ましくは９５％を超えるカロテノイドの豊富な抽出物が得られることを特徴とする、請求項１〜１２のいずれか１項に記載の方法。
【請求項１４】
前記抽出段階（５）において使用される前記溶剤が、アシルエステル、望ましくは酢酸エチル、プロピル、イソプロピル、ブチルまたはイソブチルまたはその混合物から成ることを特徴とする、請求項１〜１３のいずれか１項に記載の方法。
【請求項１５】
前記カロテノイド豊富な抽出物が、１０〜４０ｇ／ｌ程度のカロテノイド濃度に達するまで８０℃未満の温度で１時間未満の時間、従来の手段による濃縮段階（５）に付されることを特徴とする、請求項１〜１４のいずれか１項に記載の方法。
【請求項１６】
前記カロテノイド豊富な抽出物が、２５℃未満の結晶化温度で、１５分から２４時間の間での結晶化時間の間、前記抽出段階（６）において使用される前記溶剤の体積に対して１／１から１／６の比率でアルコールを添加することにより、沈降−結晶化段階（７）に付されることを特徴とする、請求項１〜１５のいずれか１項に記載の方法。
【請求項１７】
前記ｐＨの調整が、発酵が開始され後２４時間〜３６時間の間に行なわれることを特徴とする、請求項１〜１６のいずれか１項に記載の方法。
【請求項１８】
前記ｐＨ調整が、発酵開始後２４時間から３６時間までの間、６．７−６．９の範囲で行なわれることを特徴とする、請求項１７に記載の方法。
【請求項１９】
β−カロテンと酸化防止剤との混合物の、着色剤としての使用。
【請求項２０】
前記混合物が更に、様々なタイプのスターチ、大豆油、コーン油またはオリーブ油を含んで成る、請求項１９に記載の使用。
【請求項２１】
前記酸化防止剤が、アスコルビルパルミテート又はトコフェロールである、請求項１９又は２０に記載の使用。
【手続補正書】
【提出日】平成16年11月24日(2004.11.24)
【手続補正１】
【補正対象書類名】明細書
【補正対象項目名】特許請求の範囲
【補正方法】変更
【補正の内容】
【特許請求の範囲】
【請求項１】  アセチルコリン作用促進剤による基礎治療に伴う痴呆のアジュバント治療用医薬組成物であって、α−リポ酸または該α−リポ酸の誘導体を含み、前記α−リポ酸を還元型または酸化型で含むか、または、無傷のジチオラン構造を有する前記α−リポ酸の誘導体を、光学異性体または製薬的に容認可能な塩、アミド、エステル、チオエステル、エーテルまたは代謝物の形で含む前記医薬組成物。
【請求項２】  還元型または酸化型のＲ（＋）−α−リポ酸を、α−リポ酸の誘導体として含む、請求項１に記載の医薬組成物。
【請求項３】  付加的に、１つまたは複数の痴呆治療薬を含むか、または、神経伝達を改善するための１つまたは複数の有効成分を含む、請求項１または２に記載の医薬組成物。
【請求項４】  以下の物質、すなわち、ビタミンＣおよび誘導体、ビタミンＥおよびトコフェロール、ユビキノン、ビタミンＢ１〜１２、チアミン、リボフラビン、パントテン酸、ナイアシン、ビオチン、イノシトール、β−カロチン、亜鉛、マグネシウム、セレン、タウリン、コリン、Ｎ−アセチルシステインおよび誘導体、不飽和脂肪酸、ｎ−３およびｎ−６列の必須脂肪酸、γ−リノレン酸および誘導体、アスピリンおよび非ステロイド系抗炎症剤、Ｌ−カルニチンおよび誘導体、セントジョンズ・ワートおよびニンニク製剤から選択した１つまたは複数の物質を、付加的に含む、請求項１〜３のいずれか１項に記載の医薬組成物。
【請求項５】  痴呆前の患者に使用される、請求項１〜４のいずれか１項に記載の医薬組成物。
【請求項６】  前記アセチルコリン作用促進剤に対するアジュバント療法として、前治療実施時に重大な悪化が生じた後で、一時的に単独で投与される、請求項１〜４のいずれか１項に記載の医薬組成物。
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】  窒素に対して特に高ガス吸着効率を備える無蒸発ゲッタ合金であって、
ジルコニウムと、バナジウムと、鉄と、マンガンと、イットリウムとランタンと希土類元素との中から選択された少なく１種の元素とを含み、
次の範囲内で変化しうる元素組成ｗｔ％で、
６０〜８５％のジルコニウム
２〜２０％のバナジウム
０.５〜１０％の鉄
２.５〜３０％のマンガン、及び
１〜６％のイットリウム、ランタン、希土類元素またはそれらの混合物、
を含む無蒸発ゲッタ合金。
【請求項２】  ７０％Ｚｒ−１５％Ｖ−３．３％Ｆｅ−８．７％Ｍｎ−３％ミッシュメタルの組成を含む請求項１記載の合金。
【請求項３】  ６９％Ｚｒ−２．６％Ｖ−０．６％Ｆｅ−２４．８％Ｍｎ−３％ミッシュメタルの組成を含む請求項１記載の合金。
【請求項４】  請求項１の合金を粉末形状で含むゲッタデバイス。
【請求項５】  前記ゲッタ合金の粉末だけで作られたペッレトで形成された請求項４記載のデバイス（１０）。
【請求項６】  ゲッタ合金の粉末（２３）が備えられた金属支持体（２２）から形成されたバンド（２１）を、長さ方向に平行な線に沿って切断して得られた請求項４記載のデバイス（２０）。
【請求項７】  上方に開口した金属容器（３１）内をゲッタ合金（３２）の粉末で形成する請求項４記載のデバイス（３０）。
【請求項８】  多孔質隔壁（４３）によって閉ざされた上側開口を有する金属容器（４１）内をゲッタ合金（４２）の粉末で形成する請求項４記載のデバイス（４０）。
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】  定期的な消退出血を促進する間のプロゲスチンの周期的毎日の膣投与用の医薬組成物であって、医療上有効量のプロゲスチンおよび水不溶性で水膨潤性の生物接着性の橋かけ結合ポリカルボン酸ポリマーを含む医薬組成物。
【請求項２】  プロゲスチンがプロゲステロンであり、ポリマーがポリカルボフィルである、請求項１の医薬組成物。
【請求項３】  子宮内膜の萎縮を起こし無月経を維持するためのプロゲスチンの継続的な膣内投与用の医薬組成物であって、４重量％のプロゲスチンおよび水不溶性で水膨潤性の生物接着性の橋かけ結合ポリカルボン酸ポリマーを含む医薬組成物。
【請求項４】  プロゲスチンがプロゲステロンであり、ポリマーがポリカルボフィルである、請求項３の組成物。
【請求項５】  定期的な消退出血を促進する間のプロゲスチンの周期的毎日の膣投与用の医薬組成物の調製のために、水不溶性で水膨潤性の生物接着性の橋かけ結合ポリカルボン酸ポリマーとともにプロゲスチンを使用すること。
【請求項６】  子宮内膜の萎縮を起こし無月経を維持するためのプロゲスチンの継続的な膣内投与用の、４重量％のプロゲスチンを含む医薬組成物の調製のために、水不溶性で水膨潤性の生物接着性の橋かけ結合ポリカルボン酸ポリマーとともにプロゲスチンを使用すること。
【手続補正２】
【補正対象書類名】明細書
【補正対象項目名】００１６
【補正方法】変更
【補正の内容】
【００１６】
本発明は、プロゲスチンでの処置方法に関し、無月経を継続するために改良された療法で閉経期および閉経期後の女性にプロゲスチンの医療上有効量を経膣投与することを含む。この実施態様において、薬剤運搬システムは水不溶性で水膨張性の橋かけ結合カルボン酸ポリマーおよび４重量％のプロゲスチンを含む。エストロゲンおよびプロゲスチンの周期的よりも継続的な使用が、閉経期および閉経期後の女性において毎月の消退出血を回避するために提案されている。Azzawi,A.J., de Ziegler,D., Vaginal Progesterone Gel-based Continuous Combined HRT as an Amenorrheic Regimen, Presented at IV European Congress on Menopause, Vienna, October 1997。中断のない継続的すなわち定期的なプロゲスチンの毎月の投与は、無月経すなわち完全な出血喪失を促進する。しかし、妊娠誘発無月経においては、プロゲスチンの継続的投与が月経周期に伴なう望ましい生理的子宮内膜の変化を生じないで、月経周期において子宮内膜が月単位で形質変換し出血する。代りに、子宮内膜が萎縮状態を保つ。
【手続補正３】
【補正対象書類名】明細書
【補正対象項目名】００３６
【補正方法】変更
【補正の内容】
【００３６】
実施例１
プロゲステロンの毎日周期対１週間２回周期の継続的投与
この試験は、無出血処方計画のためのエストロゲン治療との周期的関連における、およびエストロゲンとの継続的複合関連におけるホルモン置換療法(“ＨＲＴ”)の一部として、更年期におけるCRINONE(登録商標)プロゲステロンゲルの使用の試験のために計画した。試験における患者の第１グループの結果をここに報告する。(試験は、更なる患者で続ける；これらの結果を、下記実施例２に報告する。
【手続補正４】
【補正対象書類名】明細書
【補正対象項目名】００４８
【補正方法】削除
【補正の内容】
【手続補正５】
【補正対象書類名】明細書
【補正対象項目名】００４９
【補正方法】削除
【補正の内容】
【手続補正６】
【補正対象書類名】明細書
【補正対象項目名】００５０
【補正方法】変更
【補正の内容】
【００５０】
実施例２
プロゲステロンの毎日周期対１週間２回周期の継続的投与
上記実施例１に記載のような試験に継続して、この試験は、無出血処方計画のためのエストロゲン治療との周期的関連における、およびエストロゲンとの継続的複合関連におけるホルモン置換療法(“ＨＲＴ”)の一部として、更年期でのCRINONE(登録商標)プロゲステロンゲルの使用に関して行った。グループＩは全６９名の女性からなり、うち２０名は実施例１のグループＩに由来し、およびグループIIは全６７名の女性からなり、うち２０名は実施例１のグループIIに由来する。グループIIの女性は、更年期が３年以上であるか、５３歳以上であり、出血性疾患はなかった。グループIIの新しい４７名の女性は、実施例１のグループII由来の元の２０名の女性にＣＲＩＮＯＮＥ８％プロゲステロンゲルを投与した代わりに、ＣＲＩＮＯＮＥ４％プロゲステロンゲルを投与した。
【手続補正７】
【補正対象書類名】明細書
【補正対象項目名】００５１
【補正方法】変更
【補正の内容】
【００５１】
両方のグループの女性とも処置の６ヶ月後に、その後６ヶ月の間隔で評価した。子宮内膜厚を超音波で評価し、１８ヶ月間の処置の結果をチャート３に報告する。グループＩの新しい４９名の女性およびグループIIの新しい４７名の女性について６ヶ月間の出血パターンをチャート４に報告する。１８ヶ月目に評価したグループＩの新しい４９名の女性に由来する１４名の女性の集団において、１２名が全観察期間中、無月経のままであった。
【手続補正８】
【補正対象書類名】明細書
【補正対象項目名】００５２
【補正方法】変更
【補正の内容】
【００５２】
チャート３．超音波−子宮内膜厚(mm、平均±ＳＥＭ)
【表３】
2003535015.tif 000001
【手続補正９】
【補正対象書類名】明細書
【補正対象項目名】００５３
【補正方法】変更
【補正の内容】
【００５３】
チャート４．出血パターン
【表４】
2003535015.tif 000002
【手続補正１０】
【補正対象書類名】明細書
【補正対象項目名】００５４
【補正方法】変更
【補正の内容】
【００５４】
実施例１に記載のチャート２および図１と一致して、チャート４から明らかなように、グループＩ患者への毎日のCRINONE(登録商標)プロゲステロンゲル投与によって、８９．８％(４９名中４４名)の患者が、各６ヶ月プロゲスチン投与期間の後のみに、予期される消退出血を経験した。このように、毎日の投与は、非常に出血パターンを変え、完全な１ヶ月プロゲステロン処置完了の１から４日以内の通常の出血をもたらし、患者の８９．８％は他の出血の形は無かった。グループＩ全体の６３名の患者のうち５８名すなわち９２％が、ＨＲＴに関する膣プロゲステロンの存続のために選択され、２名が他の処置選択のために選択され、３名が全ホルモン処置を止めた。
【手続補正１１】
【補正対象書類名】明細書
【補正対象項目名】００５５
【補正方法】変更
【補正の内容】
【００５５】
継続的CRINONE(登録商標)プロゲステロンゲル投与されたグループIIの患者において、６ヶ月の評価期間で、８３．０％の患者で消退出血がなく、６．４％のみがひどい出血または繰り返す点状出血を経験し、１０．６％が１回の点状出血または僅かな出血を経験した。
【手続補正書】
【提出日】平成16年5月12日(2004.5.12)
【手続補正１】
【補正対象書類名】明細書
【補正対象項目名】特許請求の範囲
【補正方法】変更
【補正の内容】
【特許請求の範囲】
【請求項１】  組み換えヒトアルブミンを含む哺乳動物の培養基サプリメントであって、該サプリメントを含む培地で培養した配偶子または胚細胞の生存能力を高め、さらに該サプリメントが非組み換えヒトアルブミンを含まない哺乳動物の培養基サプリメント。
【請求項２】  発酵生産したヒアルロナンをさらに含む請求項１に記載のサプリメント。
【請求項３】  クエン酸塩をさらに含む、請求項２に記載のサプリメント。
【請求項４】  組み換えヒトアルブミンおよび細胞の成長を補助し得る培地を含む哺乳動物の培養基であって、該哺乳動物の培養基で培養した配偶子または胚細胞の生存能力を高め、さらに非組み換えヒトアルブミンを含まない哺乳動物の培養基。
【請求項５】  クエン酸をさらに含む、請求項４に記載の培養基。
【請求項６】  発酵生産したヒアルロナンをさらに含む、請求項５に記載の培養基。
【請求項７】  哺乳動物の培養基用のサプリメントを製造する方法であって、組み換えヒトアルブミンを水、生理的食塩水または培地のいずれかに加えて哺乳動物の培養基用のサプリメントを作製することを含み、該サプリメントが該サプリメントを含む培地で培養した配偶子または胚細胞の生存能力を高め、さらに該サプリメントが非組み換えヒトアルブミンを含まないことを特徴とする前記方法。
【請求項８】  （ａ）組み換えヒトアルブミンを含み、さらに哺乳動物の培養基、発酵生産したヒアルロナン、クエン酸塩およびこれらの組合わせから成る群から選択される１つまたは複数の成分を含んでいてもよい培地であって、該培地で培養した配偶子または胚細胞の生存能力を高め、さらに該培地が非組み換えヒトアルブミンを含まないことを特徴とする培地、および
（ｂ）キットを使用するための教示書を含む、哺乳動物の培養基を補うためのキット。
【手続補正書】
【提出日】平成15年6月25日(2003.6.25)
【手続補正１】
【補正対象書類名】明細書
【補正対象項目名】特許請求の範囲
【補正方法】変更
【補正の内容】
【特許請求の範囲】
【請求項１】
スピンコーティング装置を用いて、溶液を基板上に加えるプロセスを制御するための方法であって、
前記プロセスが一連のサブルーチンを順次実行することにより処理制御される、シリアル処理制御を用いて前記プロセスを制御し、
処理指令を実行するために、前記シリアル処理制御に割り込み信号を用いて割り込むことを特徴とする方法。
【請求項２】
前記割り込み信号は、前記処理制御システムの中央処理ユニットに送られ、
前記割り込み信号が入力すると、前記中央処理ユニットが割り込みサブスルーチンを実行し、
この割り込みサービスルーチンが多数個のタイマーをスタートさせ、各タイマーが異なる継続時間を測定し、そして、各継続時間の終わりに、割り込みサービスルーチンが割り込み信号を中央処理ユニットに出力し、さらに、中央処理ユニットが処理指令を実行することを特徴とする請求項１記載の方法。
【請求項３】
割り込みサービスルーチンを有するプログラムで処理される処理制御システムを使用して、
あるトリガ事象の時、ハードウエア割り込みが処理制御システムに送られ、
ハードウエア割り込みの指示を受け取ったとき、前記処理制御システムが割り込みサービスルーチンを実行するように構成され、
さらに、前記割り込みサービスルーチンは、
２つ又はそれ以上のタイマーを、継続時間の間、同時に作動するように設定し、
かつ各継続時間の終わりにソフトウエア割り込みを出力して、前記処理制御システムに割り込み、そして１つの処理指令を実行する、各ステップを含むことを特徴とする請求項１記載の方法。
【請求項４】
基板上にフォトレジスト溶液をスピンコーティングするステップを有し、このスピンコーティング処理を制御する方法が、
一連のサブルーチンを順次実行するシリアル処理制御を用いて、前記スピンコーティング処理を制御し、
ある処理指令を実行するために、前記シリアル処理制御に割り込み信号を割り込ませ、
スピンコーティング装置を用いてスピンコートされたフォトレジスト上に、現像溶液を塗布する、各ステップを含んでおり、さらに、
前記スピンコーティング装置を制御する方法が、
一連のサブルーチンを順次実行するシリアル制御を用いて前記スピンコーティング処理を制御し、
前記シリアル処理制御に割り込み信号を割り込ませて、ある処理指令を実行するステップを含むことを特徴とする請求項１記載の方法。
【請求項５】
処理溶液をマイクロエレクトロニックデバイス上にスピンコーティングする方法であって、より早い処理事象と同時に測定された継続時間において、処理指令を実行するステップを含むことを特徴とする方法。
【請求項６】
前記処理事象は、分配位置へのディスペンサーの移動開始時、前記分配位置へのディスペンサーの移動終了時、溶液の分配開始時、溶液の分配終了時、分配位置からディスペンサーの移動開始時、および分配位置からディスペンサーの移動終了時、の各時点を含むグループから選択された１つの処理事象に関係するハードウエアの割り込みを含んでいることを特徴とする請求項５記載の方法。
【請求項７】
処理指令の少なくとも１つは、ディスペンサーの移動開始時、現像溶液の分配開始時、現像溶液の分配終了時、ターンテーブルのスピン加速またはスピン減速の切換時、の各時点を含むグループから選択されることを特徴とする請求項５記載の方法。
【請求項８】
スピンコーティングのための処理を制御するための方法であって、
シリアルタイミング方法によって生じたタイミング変動を避けるために、１つまたはそれ以上のより早い処理事象と同時に測定された継続時間において、２つまたはそれ以上の処理指令を開始するステップを含むことを特徴とする方法。
【請求項９】
スピンコーティングのステップを制御するためのプロセス制御システムを含み、
前記スピンコーティングのステップが、１つまたはそれ以上のより早い処理事象から同時に測定された継続時間で処理指令を開始することを特徴とするスピンコーティング装置。
【請求項１０】
基板を支持して回転するためのターンテーブルと、
分配位置と非分配位置の間に移動可能なディスペンサーと、
前記ディスペンサーと流体連通する処理溶液の供給源と、
前記基板上への処理溶液の付加を制御するための処理制御システムとを含み、
この処理制御システムが、シリアル制御に割り込むようにプログラムされて、処理指令を実行するように構成したことを特徴とするスピンコーティング装置。
【手続補正２】
【補正対象書類名】明細書
【補正対象項目名】０００６
【補正方法】変更
【補正の内容】
【０００６】
その後、現像溶液（以下、処理溶液ともいう。）がフォトレジスト材料全体に加えられるか又はスピンコートされる。この現像溶液により、フォトレジストの露光された領域と、されない領域が共に現像溶液に浸かり、そして、現像されたフォトレジストと現像されないフォトレジスト部分が除去される。
【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
高血圧に起因しない血管性頭痛の状態の処置のための薬剤の製造へのアンギオテンシンＩＩタイプ１受容体アンタゴニストの使用であって、当該アンギオテンシンＩＩタイプ１受容体アンタゴニストが、カンデサルタン又はカンデサルタンシレキセチル、並びにこれらのいずれかの化合物の医薬的に受容可能な塩、溶媒和物および立体化学的異性体、および前記塩の溶媒和物である、前記使用。
【請求項２】
血管性頭痛の状態の処置のための薬剤の製造へのアンギオテンシンＩＩタイプ１受容体アンタゴニストの使用であって、当該アンギオテンシンＩＩタイプ１受容体アンタゴニストが、カンデサルタン又はカンデサルタンシレキセチル、並びにこれらのいずれかの化合物の医薬的に受容可能な塩、溶媒和物および立体化学的異性体、および前記塩の溶媒和物である、前記使用。
【請求項３】  片頭痛の処置のための薬剤の製造へのアンギオテンシンＩＩタイプ１受容体アンタゴニストの使用であって、当該アンギオテンシンＩＩタイプ１受容体アンタゴニストが、カンデサルタン又はカンデサルタンシレキセチル、並びにこれらのいずれかの化合物の医薬的に受容可能な塩、溶媒和物および立体化学的異性体、および前記塩の溶媒和物である、前記使用。
【請求項４】
前記処置が治療を目的とするものである請求項１−３のいずれか１項に記載の使用。
【請求項５】
前記処置が予防を目的とするものである請求項１−３のいずれか１項に記載の使用。
【請求項６】
アンギオテンシンＩＩタイプ１受容体アンタゴニストの１日の投与量が、活性物質約０．０１ｍｇから約１０００ｍｇの範囲である請求項１−５のいずれか１項に記載の使用。
【請求項７】
アンギオテンシンＩＩタイプ１受容体アンタゴニストの１日の投与量が、活性物質０．１ｍｇから７５０ｍｇの範囲である請求項６に記載の使用。
【請求項８】
アンギオテンシンＩＩタイプ１受容体アンタゴニストの１日の投与量が、活性物質１ｍｇから５００ｍｇの範囲である請求項７に記載の使用。
【請求項９】
カンデサルタンシレキセチルの１日の投与量が、カンデサルタンとして計算して、約０．１ｍｇから約１００ｍｇの範囲である請求項１−３のいずれか１項に記載の使用。
【請求項１０】
カンデサルタンシレキセチルの１日の投与量が、カンデサルタンとして計算して、０．２ｍｇから５０ｍｇの範囲である請求項９に記載の使用。
【請求項１１】
高血圧に起因しない血管性頭痛の状態の予防的および／または治療的処置に使用するための医薬製剤であって、活性物質としてアンギオテンシンＩＩタイプ１受容体アンタゴニストを含み、所望により医薬的に受容可能なアジュバント、希釈剤または担体を共に含み、当該アンギオテンシンＩＩタイプ１受容体アンタゴニストが、カンデサルタン又はカンデサルタンシレキセチル、並びにこれらのいずれかの化合物の医薬的に受容可能な塩、溶媒和物および立体化学的異性体、および前記塩の溶媒和物である、前記医薬製剤。
【請求項１２】
血管性頭痛の状態の予防的および／または治療的処置に使用するための医薬製剤であって、活性物質としてアンギオテンシンＩＩタイプ１受容体アンタゴニストを含み、所望により医薬的に受容可能なアジュバント、希釈剤または担体を共に含み、当該アンギオテンシンＩＩタイプ１受容体アンタゴニストが、カンデサルタン又はカンデサルタンシレキセチル、並びにこれらのいずれかの化合物の医薬的に受容可能な塩、溶媒和物および立体化学的異性体、および前記塩の溶媒和物である、前記医薬製剤。
【請求項１３】
片頭痛の予防的および／または治療的処置に使用するための医薬製剤であって、活性物質としてアンギオテンシンＩＩタイプ１受容体アンタゴニストを含み、所望により医薬的に受容可能なアジュバント、希釈剤または担体を共に含み、当該アンギオテンシンＩＩタイプ１受容体アンタゴニストが、カンデサルタン又はカンデサルタンシレキセチル、並びにこれらのいずれかの化合物の医薬的に受容可能な塩、溶媒和物および立体化学的異性体、および前記塩の溶媒和物である、前記医薬製剤。
【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】  胃及び上部胃腸管に限定される領域の少なくとも一部に薬物を放出させるための制御放出経口薬物剤形であって、その中に含まれる前記薬物と共に固形のモノリシックなマトリックスを含んで成り、当該マトリックスが非環状の形状であり、且つ等しくない長さの第一及び第二の直交軸を有し、当該マトリックスが水の吸収によって膨潤するものであり、長い方の前記軸が、前記マトリックスが膨潤していない場合に最大3.0cmの長さを有し、そして短い方の前記軸が、剤形を水中に浸してから１時間以内に最大1.2cmの長さに達し、且つ前記マトリックスが、平面上に投影された場合に楕円形又は平行四辺形のいずれかの形状を有する、剤形。
【請求項２】  短い方の軸が、剤形を水中に浸してから３０分以内に最小1.2cmの長さに達する、請求項１に記載の制御放出経口薬物剤形。
【請求項３】  短い方の軸が、剤形を水中に浸してから１時間以内に最小1.3cmの長さに達する、請求項１に記載の制御放出経口薬物剤形。
【請求項４】  短い方の軸が、剤形を水中に浸してから３０分以内に最小1.3cmの長さに達する、請求項１に記載の制御放出経口薬物剤形。
【請求項５】  短い方の軸が、マトリックスが膨潤していない場合に0.7cm〜1.5cmの長さを有する、請求項１に記載の制御放出経口薬物剤形。
【請求項６】  短い方の軸が、マトリックスが膨潤していない場合に0.75cm〜1.2cmの長さを有する、請求項１に記載の制御放出経口薬物剤形。
【請求項７】  短い方の軸が、マトリックスが膨潤していない場合に0.8cm〜1.0cmの長さを有する、請求項１に記載の制御放出経口薬物剤形。
【請求項８】  長い方の軸が、マトリックスが膨潤していない場合に最大2.5cmの長さを有する、請求項１に記載の制御放出経口薬物剤形。
【請求項９】  長い方の軸が、マトリックスが膨潤していない場合に1.5cm〜2.5cmの長さを有する、請求項１に記載の制御放出経口薬物剤形。
【請求項１０】  前記マトリックスが水膨潤性ポリマーである、請求項１に記載の制御放出経口薬物剤形。
【請求項１１】  前記水膨潤性ポリマーがポリエチレンオキシド、ポリビニルアルコール、セルロース、アルキル置換セルロース、ヒドロキシアルキル置換セルロース、架橋ポリアクリル酸、及びキサンタンガムから成る群から選択されるメンバーである、請求項１０に記載の制御放出経口薬物剤形。
【請求項１２】  前記水膨潤性ポリマーがポリエチレンオキシド、ポリビニルアルコール、ヒドロキシメチルセルロース、ヒドロキシエチルセルロース、ヒドロキシプロピルセルロース、ヒドロキシプロピルメチルセルロース、及びカルボキシメチルセルロースから成る群から選択されるメンバーである、請求項１０に記載の制御放出経口薬物剤形。
【請求項１３】  前記水膨潤性ポリマーがポリエチレンオキシド、ヒドロキシプロピルメチルセルロース、及びヒドロキシエチルセルロースから成る群から選択されるメンバーである、請求項１０に記載の制御放出経口薬物剤形。
【請求項１４】  前記水膨潤性ポリマーがポリエチレンオキシドである、請求項１０に記載の制御放出経口薬物剤形。
【請求項１５】  前記薬物が、３７℃の水において、少なくとも１重量部の前記薬物／２０重量部の水、の溶解性を有し、そして前記マトリックスが約２，０００，０００〜約７，０００，０００の粘度−平均分子量を有するポリエチレンオキシドである、請求項１に記載の制御放出経口薬物剤形。
【請求項１６】  前記薬物が、３７℃の水において、少なくとも１重量部の前記薬物／１０重量部の水、の溶解性を有し、そして前記マトリックスが約２，０００，０００〜約７，０００，０００の粘度−平均分子量を有するポリエチレンオキシドである、請求項１に記載の制御放出経口薬物剤形。
【請求項１７】  前記薬物が、３７℃の水において、少なくとも１重量部の前記薬物／３重量部の水、の溶解性を有し、そして前記マトリックスが約２，０００，０００〜約７，０００，０００の粘度−平均分子量を有するポリエチレンオキシドである、請求項１に記載の制御放出経口薬物剤形。
【請求項１８】  前記薬物が、３７℃の水において、重量当たり約０．００５％〜約１０％の溶解性を有し、そして前記マトリックスが約２００，０００〜約２，０００，０００の粘度−平均分子量を有するポリエチレンオキシドである、請求項１に記載の制御放出経口薬物剤形。
【請求項１９】  前記薬物が、３７℃の水において、重量当たり約０．０１％〜約５％の溶解性を有し、そして前記マトリックスが約２００，０００〜約２，０００，０００の粘度−平均分子量を有するポリエチレンオキシドである、請求項１に記載の制御放出経口薬物剤形。
【請求項２０】  前記薬物が、リジノプリル、アシクロビル、塩酸メトホルミン、バクロフェン、シプロフロキサシン、フロセミド、シクロスポリン、塩酸セルトラリン、及び炭酸カルシウムから成る群から選択されるメンバーである、請求項１に記載の制御放出経口薬物剤形。
【請求項２１】  前記薬物が抗生物質である、請求項１に記載の制御放出経口薬物剤形。
【請求項２２】  前記薬物がアンギオテンシン変換阻害剤である、請求項１に記載の制御放出経口薬物剤形。
【請求項２３】  前記薬物が、リジノプリル、エナラプリル、カプトプリル、及びベナゼプリルから成る群から選択されるメンバーである、請求項２２に記載の制御放出経口薬物剤形。
【請求項２４】  前記薬物がアシクロビルである、請求項１に記載の制御放出経口薬物剤形。
【請求項２５】  前記薬物が塩酸メトホルミンである、請求項１に記載の制御放出経口薬物剤形。
【請求項２６】  前記薬物がバクロフェンである、請求項１に記載の制御放出経口薬物剤形。
【請求項２７】  前記薬物がシプロフロキサシンである、請求項１に記載の制御放出経口薬物剤形。
【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
水性相と液体脂肪相を含む固形エマルションを含むマスカラであって、
水性相と液体脂肪相は一方が他方中に分散されており、
前記液体脂肪相は、重量平均分子量が１０００乃至３００００の範囲の少なくとも一のポリアミドで構造が与えられ、該ポリアミドは、
ａ）アミド反復単位を含むポリマー骨格、及び
ｂ）これらのアミド単位に連結している、任意に官能化された、１２乃至１２０の炭素原子を含むペンダント及び／又は末端脂肪鎖
を含み、
前記水性相、前記液体脂肪相及び前記ポリマーが生理的に許容される媒体を形成するものであり、
更に、
ｉ）  親油性染料、親水性染料、顔料及び真珠光沢剤、及びそれらの混合物から選ばれる少なくとも一の染料；及び
ｉｉ）少なくとも一の揮発性化合物
を含むマスカラ。
【請求項２】
アミド単位と脂肪鎖の合計数に対して、脂肪鎖が、４０乃至９８％を占めることを特徴とする請求項１記載のマスカラ。
【請求項３】
アミド単位と脂肪鎖の合計数に対して、脂肪鎖が、５０乃至９５％を占めることを特徴とする請求項１又は２記載のマスカラ。
【請求項４】
前記ペンダント脂肪鎖が、前記アミド単位の窒素原子の少なくとも一に直接結合していることを特徴とする請求項１乃至３のいずれか一項記載のマスカラ。
【請求項５】
前記重量平均分子量が、２０００乃至２００００の範囲、好ましくは２０００乃至１００００の範囲であることを特徴とする請求項１乃至４のいずれか一項記載のマスカラ。
【請求項６】
末端脂肪鎖が、エステル基を介して、前記骨格に連結していることを特徴とする請求項１乃至５のいずれか一項記載のマスカラ。
【請求項７】
脂肪鎖が１２乃至６８の炭素原子を含むことを特徴とする請求項１乃至６のいずれか一項記載のマスカラ。
【請求項８】  
水性相と液体脂肪相を含む固形エマルションを含むマスカラであって、
水性相と液体脂肪相は一方が他方中に分散されており、
前記液体脂肪相は、式（Ｉ）
【化１】
2003535883.tif 000001
（式中、
ｎは、エステル基の数が、エステル基とアミド基の合計数の１０乃至５０％を占めるようになるアミド単位の数を表し；
Ｒ１は、各々独立して、少なくとも４の炭素原子を含むアルキル又はアルケニル基であり；
Ｒ２は、各々独立して、飽和又は不飽和のＣ４乃至Ｃ４２の炭化水素が主体の基を表すが、ただし、基Ｒ２の５０％は、飽和又は不飽和のＣ３０乃至Ｃ４２の炭化水素主体の基であり；
Ｒ３は、各々独立して、少なくとも２の炭素原子、水素原子、任意に一以上の酸素又は窒素原子を含む有機基であり；
Ｒ４は、各々独立して、水素原子、飽和又は不飽和のＣ１乃至Ｃ１０のアルキル基、又はＲ３又は別のＲ４への直接結合であって、Ｒ３とＲ４が両方結合する窒素原子は、Ｒ４−Ｎ−Ｒ３により規定される複素環構造の一部を形成しており、基Ｒ４の少なくとも５０％は水素原子を示す）
のポリマー及びその混合物から選択されるポリマー
で構造が与えられ、
更に、
ｉ）  親油性染料、親水性染料、顔料及び真珠光沢剤、及びそれらの混合物から選ばれる少なくとも一の染料；及び
ｉｉ）少なくとも一の揮発性化合物
を含むマスカラ。
【請求項９】
Ｒ１がＣ１２乃至Ｃ２２のアルキル基であることを特徴とする請求項８記載のマスカラ。
【請求項１０】
基Ｒ２が、３０乃至４２の炭素原子を含む基であることを特徴とする請求項８又は９記載のマスカラ。
【請求項１１】
前記ポリマーが、組成物の全重量に対して、活性剤として、０．５乃至８０重量％、好ましくは５乃至４０重量％を占めることを特徴とする請求項１乃至１０のいずれか一項記載のマスカラ。
【請求項１２】
前記液体脂肪相が、液体脂肪相の全重量に対して少なくとも４０重量％、好ましくは５０乃至１００重量％の無極性油を含むことを特徴とする請求項１乃至１１のいずれか一項記載のマスカラ。
【請求項１３】
前記液体脂肪相が、鉱物、植物又は合成由来の、少なくとも一の炭化水素が主体の油、合成エステル類又はエーテル類、及びシリコーン油類、及びこれらの混合物を含むことを特徴とする請求項１乃至１２のいずれか一項記載のマスカラ。
【請求項１４】
前記液体脂肪相が少なくとも一の非揮発性油も含むことを特徴とする請求項１乃至１３のいずれか一項記載のマスカラ。
【請求項１５】
前記液体脂肪相が、組成物の全重量に対して、５乃至９８％、好ましくは２０乃至７５％を占めることを特徴とする請求項１乃至１４のいずれか一項記載のマスカラ。
【請求項１６】
油中水型エマルションの形態であることを特徴とする請求項１乃至１５のいずれか一項記載のマスカラ。
【請求項１７】
前記水性相が、組成物の全重量に対して、１乃至８０重量％、好ましくは５乃至７０重量％を占めることを特徴とする請求項１乃至１６のいずれか一項記載のマスカラ。
【請求項１８】
前記染料が、組成物の全重量に対して、０．０１乃至５０重量％、好ましくは５乃至３０重量％の量で存在することを特徴とする請求項１乃至１７のいずれか一項記載のマスカラ。
【請求項１９】
水性相ゲル化剤、抗酸化剤、精油、防腐剤、香料、電解質、フィラー、ワックス、室温でペースト状の脂肪化合物、中和剤、脂溶性ポリマー又は媒体に分散性のポリマー、化粧品又は皮膚科活性剤、及び分散剤、及びそれらの混合物から選ばれる少なくとも一の添加剤を含むことを特徴とする請求項１乃至１８のいずれか一項記載のマスカラ。
【請求項２０】
硬度が１０ｇ乃至２００ｇ、好ましくは３０ｇ乃至１００ｇであることを特徴とする請求項１乃至１９のいずれか一項記載のマスカラ。
【手続補正書】
【提出日】平成15年9月25日(2003.9.25)
【手続補正１】
【補正対象書類名】明細書
【補正対象項目名】００１４
【補正方法】変更
【補正の内容】
【００１４】
ブレーキモニタ４２の図解された好ましい実施形態は、ハウジング２２に相対的に固定されるセンサスリーブ４４、及び上述したようにピストンロッド２８の往復動作中にロックリング４８によりロッド２８に対して相対的に固定されるシャントスリーブ４４を備える。センサスリーブは、配線５２によりモニタ（図示せず）に接続されるセンサ５０、及びセンサ５０が磁石５４の磁場内に配置されるような磁石５４を有する。センサ５０及び磁石５４は、以下に述べるように、埋め込み材料５６により、チャンバ若しくはセンサスリーブ４４内に規定される凹部に埋め込まれ得る。シャントスリーブ４６は、磁気シャント５８及び６０を有し、これらはセンサ５０と磁石５４との間に受け入れられ、圧力ロッド２８の往復動作中にシャントがセンサと磁石との間に配置されるときには、センサと磁石との間の信号を遮断し、これにより、以下に述べるように、ハウジング２２に対して相対的な圧力ロッド２８の少なくとも１つの位置を信号化する。


【手続補正２】
【補正対象書類名】明細書
【補正対象項目名】００１５
【補正方法】変更
【補正の内容】
【００１５】
センサスリーブ４４の好ましい実施形態は、ここで、図１乃至４及び図７を参照して記載される。図３及び図４に最良に示されるように、センサスリーブ４４は、２つの略半円部６２及び６４から構成され、そのそれぞれは、半円リム部６８により規定される半円凹部６６を有する。理解されるように、略半円部若しくは部品６２及び６４のうち１つは、円の半分若しくは半円よりも若干大きく、その結果、より大きな部品が圧力ロッド２８をパチンと閉める若しくは部品が示すように半円であり得る。半円凹部６６は、さらに、放射状の統合されたウェッブ部７０と２つの磁気ポケット７４とを備え、ウェッブ部は２つのセンサポケット７２を定義し、そのそれぞれは、図１に示し上述したようにセンサ５０を受け入れ、磁気ポケットのそれぞれは磁石５４を受け入れる。理解されるように、センサ及び磁石が組み立てられたセンサスリーブ４４中で略対向する場合には、各スリーブ部品６２及び６４は１つのセンサ５０と１つの磁石５４とを有し得る。略半円部６２の一方は、さらに、以下に述べるように、シャントスリーブ４６の放射状に突き出した端部９０及び９２を受け入れる放射状鍵溝７６を備える。略半円部６２は、さらに、略半円部が組み付けられるときに他方の部分６４のスロット８０に受け入れられる対向する配列タブ７８を備える。さらに、略半円部６２及び６４は、以下に述べるように、図１及び図２に示す支持リング１２８と嵌合するフラストコニカルタブ（frustoconical tab）８２を備える。フラストコニカルタブ８２は、環状の放射リブ８５により境界を引かれる溝８４を規定する。組立時に、右の角部は、以下に述べるように、シャントスリーブ４６上の放射状シャントホルダ１００を受け入れる内部に開口するスロット７９を規定する。


【手続補正３】
【補正対象書類名】明細書
【補正対象項目名】００１７
【補正方法】変更
【補正の内容】
【００１７】
図１及び図７に示すロックリング４８は、また、略半円部１０８及び１１０を備える。内表面１０２は、ネジ切られ、以下に述べるように、シャントスリーブの外側がネジ切られた端部１０４を螺号可能に受け入れる。ロックリングの略半円部１０８の一方は、ウェッジ形状の端部１１６を有する対向するロッキングタブ１１４を備え、この端部は、略半円部１１０上のスロット１１８に受け入れられ、しかるべき位置に、横表面１２０に対してロックされる。ロックリング４８の開示された実施形態は、さらに、以下に述べるように、多角形の外表面１２２、及び、シャントスリーブ４６上でのロックリングの組立中に使用するグリップ表面１２４を含む。


【手続補正４】
【補正対象書類名】図面
【補正対象項目名】図７
【補正方法】変更
【補正の内容】
【図７】
2003535739.tif 000001